(57)【要約】【課題】遊技者が緊張感を持って特殊遊技を行うことにより、遊技を飽きずに継続することができるスロットマシンを提供する。【解決手段】スロットマシンは、回転リールの停止制御を行う停止制御手段と、移行図柄組み合わせをいずれの有効ラインに表示しているか、又はいずれの有効ラインにも表示していないかを判定する有効ライン図柄判定手段と、を備える。遊技には、通常の遊技である通常遊技と、通常遊技とは異なる遊技である複数の特殊遊技とがある。また、スロットマシンは、停止制御手段によりすべての回転リールの回転が停止され、且つ有効ラインに移行図柄組み合わせを表示していると有効ライン図柄判定手段により判定された場合に、移行図柄組み合わせの表示された有効ラインに基づき一の特殊遊技に移行させる。【選択図】図１１
2010253024.tif 000002
【特許請求の範囲】
【請求項１】
表面に複数個の図柄が付された複数個の回転リールと、
各回転リールの回転を開始させるためのスタートスイッチと、
各回転リールに対応して設けられ、対応する回転リールの回転を停止させるためのストップスイッチと、
スタートスイッチの操作を契機に、複数の当選役のいずれに当選か又はハズレかの抽選を行う当選抽選手段と、
ストップスイッチの操作を契機に、対応する回転リールの回転位置及び当選抽選手段の抽選結果に基づいて、当該回転リールの停止制御を行う停止制御手段と、
すべての回転リールの回転が停止したことを契機に、複数の当選役のいずれに入賞か又は入賞なしかの判定を行うための入賞判定手段とを備え、
メダルのベットを契機に、複数の有効ラインを有効化するとともに、スタートスイッチの操作を受け付け、
遊技には、
通常の遊技である通常遊技と、
通常遊技とは異なる遊技である複数の特殊遊技とがあり、
特殊遊技のそれぞれが互いに異なるスロットマシンであって、
所定の図柄の組み合わせ（以下「移行図柄組み合わせ」という。）をいずれの有効ラインに表示しているか、又はいずれの有効ラインにも表示していないかを判定する有効ライン図柄判定手段を備え、
停止制御手段は、いずれの有効ラインに対しても、移行図柄組み合わせを表示させる停止制御を実行することができ、
停止制御手段によりすべての回転リールの回転が停止され、且つ有効ラインに移行図柄組み合わせを表示していると有効ライン図柄判定手段により判定された場合に、移行図柄組み合わせの表示された有効ラインに基づき一の特殊遊技に移行させることを特徴とするスロットマシン。
【請求項２】
特殊遊技には、第１特殊遊技、及び第１特殊遊技と異なる第２特殊遊技があり、
移行図柄組み合わせには、複数種類の図柄の組み合わせがあり、
有効ラインに所定の移行図柄組み合わせ（以下「第１種図柄組み合わせ」という。）を表示していると有効ライン図柄判定手段により判定された場合には、第１特殊遊技に移行させ、
有効ラインに第１種図柄組み合わせと異なる所定の移行図柄組み合わせ（以下「第２種図柄組み合わせ」という。）を表示していると有効ライン図柄判定手段により判定された場合には、第２特殊遊技に移行させ、
第１種図柄組み合わせ及び第２種図柄組み合わせは、一の有効ラインに同時に表示可能な図柄の組み合わせであり、
一の有効ラインに第１種図柄組み合わせ及び第２種図柄組み合わせのどちらも表示していると有効ライン図柄判定手段により判定された場合には、当該有効ラインに基づき第１特殊遊技または第２特殊遊技のいずれか一方に移行させることを特徴とする請求項１に記載のスロットマシン。
【発明の詳細な説明】
【技術分野】
【０００１】
本発明は、スロットマシンに関し、さらに詳しくは、移行図柄組み合わせが有効ラインに表示された場合に、当該有効ラインに基づいて複数の特殊遊技のいずれか１つに移行するスロットマシンに関するものである。
【背景技術】
【０００２】
従来、遊技媒体としてメダルを用いて遊技を行う遊技機には、周面に複数の図柄が付された３個の回転リールと、各回転リールの回転を開始させるためのスタートスイッチと、対応する回転リールの回転を停止させるためのストップスイッチとを備えたスロットマシンが知られている。
このようなスロットマシンでは、メダルがベットされると、ゲームが開始可能になる。そして、スタートスイッチの操作を契機に、３個の回転リールが回転を開始するとともに、複数の当選役のいずれに当選かまたはハズレかの抽選が行われる。この抽選で当選役に当選した場合には、ストップスイッチが操作されると、当該当選役に係る図柄の組み合わせを有効ラインに揃い得るように各回転リールの停止制御が行われる。さらに、すべての回転リールの回転が停止されたときに、当選役に係る図柄の組み合わせが有効ラインに揃うと、当該当選役の入賞となって遊技者に所定の利益が付与される。例えば、「再遊技」に係る当選役に入賞すると、メダルを新たにベットすることなく再度１ゲームを行うことが可能になる。
【０００３】
また、スロットマシンには、通常の遊技である「通常遊技」や、通常遊技よりも多くのメダルを獲得し得る「特別遊技（例えば、ビッグボーナスやレギュラーボーナス）」や、通常遊技及び特別遊技とは異なる遊技である「特殊遊技」などが設けられている。例えば、特許文献１に記載のスロットマシンでは、特殊遊技として、「再遊技」に係る当選役に当選する確率が通常遊技及び特別遊技と著しく異なる「リプレイタイム（ＲＴ）モード」が設けられている。そして、通常モード中に特殊リプレイの図柄の組み合わせが有効ラインに揃うと、リプレイタイムに移行するようになっている。
【先行技術文献】
【特許文献】
【０００４】
【特許文献１】特開２００９−５６１３９号公報
【発明の概要】
【発明が解決しようとする課題】
【０００５】
また、特許文献１に記載のスロットマシンでは、通常モード中に特殊リプレイの図柄の組み合わせが有効ラインに揃うと、一律にＲＴモードに移行する。そして、毎回同様のＲＴモードで遊技が行われるようになっている。したがって、遊技が単調になり、遊技者が遊技を行うにつれて飽きてしまうという問題があった。
そこで、本発明は、上述のような問題に鑑みてなされたものであり、その目的とするところは、遊技者が緊張感を持って特殊遊技を行うことにより、遊技を飽きずに継続することができるスロットマシンを提供することである。
【課題を解決するための手段】
【０００６】
（請求項１）
請求項１に記載の発明は、表面に複数個の図柄が付された複数個の回転リール(23)と、各回転リール(23)の回転を開始させるためのスタートスイッチ(53)と、各回転リール(23)に対応して設けられ、対応する回転リール(23)の回転を停止させるためのストップスイッチ(54)と、スタートスイッチ(53)の操作を契機に、複数の当選役のいずれに当選か又はハズレかの抽選を行う当選抽選手段(130)と、ストップスイッチ(54)の操作を契機に、対応する回転リール(23)の回転位置及び当選抽選手段(130)の抽選結果に基づいて、当該回転リール(23)の停止制御を行う停止制御手段(160)と、すべての回転リール(23)の回転が停止したことを契機に、複数の当選役のいずれに入賞か又は入賞なしかの判定を行うための入賞判定手段(170)とを備え、メダルのベットを契機に、複数の有効ライン(37)を有効化するとともに、スタートスイッチ(53)の操作を受け付け、遊技には、通常の遊技である通常遊技と、通常遊技とは異なる遊技である複数の特殊遊技とがあり、特殊遊技のそれぞれが互いに異なるスロットマシン(S)であって、所定の図柄の組み合わせ（以下「移行図柄組み合わせ」という。）をいずれの有効ライン(37)に表示しているか、又はいずれの有効ライン(37)にも表示していないかを判定する有効ライン図柄判定手段(220)を備え、停止制御手段(160)は、いずれの有効ライン(37)に対しても、移行図柄組み合わせを表示させる停止制御を実行することができ、停止制御手段(160)によりすべての回転リール(23)の回転が停止され、且つ有効ライン(37)に移行図柄組み合わせを表示していると有効ライン図柄判定手段(220)により判定された場合に、移行図柄組み合わせの表示された有効ライン(37)に基づき一の特殊遊技に移行させることを特徴とするスロットマシン(S)に関するものである。
【０００７】
「特殊遊技」は、例えば、「再遊技」に係る当選役に当選する確率が通常遊技と著しく異なる所謂「リプレイタイム」や、当選抽選手段(130)の抽選結果に関する情報を報知する所謂「アシストタイム」や、これらを組み合わせた所謂「アシストリプレイタイム」等とすることができる。
「移行図柄組み合わせ」は、例えば、３個の回転リール(23)を備えたスロットマシンとした場合に、「図柄α・図柄α・図柄α」のように同種の図柄を組み合わせてもよいし、「図柄α・図柄β・図柄γ」のように異種の図柄を組み合わせてもよい。また、例えば、「図柄α・ＡＮＹ（任意の図柄）・ＡＮＹ」のように、一部の図柄を任意としてもよい。
【０００８】
（請求項２）
請求項２に記載の発明は、請求項１に記載の発明の特徴に加え、特殊遊技には、第１特殊遊技、及び第１特殊遊技と異なる第２特殊遊技があり、移行図柄組み合わせには、複数種類の図柄の組み合わせがあり、有効ライン(37)に所定の移行図柄組み合わせ（以下「第１種図柄組み合わせ」という。）を表示していると有効ライン図柄判定手段(220)により判定された場合には、第１特殊遊技に移行させ、有効ライン(37)に第１種図柄組み合わせと異なる所定の移行図柄組み合わせ（以下「第２種図柄組み合わせ」という。）を表示していると有効ライン図柄判定手段(220)により判定された場合には、第２特殊遊技に移行させ、第１種図柄組み合わせ及び第２種図柄組み合わせは、一の有効ライン(37)に同時に表示可能な図柄の組み合わせであり、一の有効ライン(37)に第１種図柄組み合わせ及び第２種図柄組み合わせのどちらも表示していると有効ライン図柄判定手段(220)により判定された場合には、当該有効ライン(37)に基づき第１特殊遊技または第２特殊遊技のいずれか一方に移行させることを特徴とするスロットマシン(S)に関するものである。
【０００９】
「第１種図柄組み合わせ」及び「第２種図柄組み合わせ」は、例えば、一方の図柄の組み合わせを「図柄α・ＡＮＹ・ＡＮＹ」とし、他方の図柄の組み合わせを「ＡＮＹ・図柄β・ＡＮＹ」とし、一の有効ライン(37)に双方の図柄組み合わせを表示可能にしてもよい。また、例えば、一方の図柄の組み合わせを「図柄α・ＡＮＹ・ＡＮＹ」とし、他方の図柄の組み合わせを「図柄α・図柄β・図柄β」とし、一の有効ライン(37)に双方の図柄組み合わせを表示可能にしてもよい。
【発明の効果】
【００１０】
（請求項１）
請求項１に記載の発明によれば、移行図柄組み合わせが有効ラインに表示された場合に、当該有効ライン基づいて複数の特殊遊技のいずれか１つに移行するようになっている。したがって、遊技者は、移行図柄組み合わせが有効ラインに表示された場合に、どの特殊遊技に移行されるか特定できない。これにより、遊技者は、緊張感を持って特殊遊技を行うようになることから、遊技を飽きずに継続することができる。
（請求項２）
請求項２に記載の発明によれば、第１種図柄組み合わせ及び第２種図柄組み合わせのどちらも有効ラインに表示された場合に、当該有効ラインに基づいて第１特殊遊技または第２特殊遊技のいずれか一方に移行するようになっている。したがって、遊技者は、第１種図柄組み合わせ及び第２種図柄組み合わせのどちらも有効ラインに表示された場合に、どちらの特殊遊技に移行されるか特定できない。これにより、遊技者は、緊張感を持って特殊遊技を行うようになることから、遊技を飽きずに継続することができる。
【図面の簡単な説明】
【００１１】
【図１】本発明の実施の形態に係るスロットマシンを示す斜視図である。
【図２】本発明の実施の形態に係るスロットマシンにおいて前扉を取り外した状態を示す斜視図である。
【図３】本発明の実施の形態に係るスロットマシンにおける図柄表示窓及び有効ラインを示す正面図である。
【図４】本発明の実施の形態に係るスロットマシンにおける各回転リールのリールテープを展開して示す展開図である。
【図５】本発明の実施の形態に係るスロットマシンにおける制御装置の入力、制御及び出力の概略を示すブロック図である。
【図６】本発明の実施の形態に係るスロットマシンにおける当選役、及び当選役の図柄の組み合わせを説明する説明図である。
【図７】本発明の形態に係るスロットマシンにおける遊技の制御の概略を示すフローチャートである。
【図８】本発明の実施の形態に係るスロットマシンにおける停止制御処理を示すフローチャートである。
【図９】本発明の実施の形態に係るスロットマシンにおける遊技移行処理を示すフローチャートである。
【図１０】本発明の実施の形態に係るスロットマシンにおける有効ライン図柄判定処理を示すフローチャートである。
【図１１】本発明の実施の形態に係るスロットマシンにおける移行特殊遊技決定処理を示すフローチャートである。
【発明を実施するための形態】
【００１２】
本発明を実施するための形態を、図面を参照しつつ説明する。
（スロットマシンS）
本実施の形態に係るスロットマシンSは、遊技媒体としてメダルを用いて遊技が行われる。ここで、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
スロットマシンSは、図１及び図２に示すように、正面側に開口する正面開口部11を有する箱形の筐体1を備えている。筐体1の内部には、高さ方向略中央で水平となるように中板12が設けられている。また、筐体1の正面には、筐体1の正面開口部11を開閉可能に閉塞する前扉3が設けられている。前扉3は、正面開口部11の上部を開閉可能に閉塞する上扉30と、正面開口部11の下部を開閉可能に閉塞する下扉40とを備えている。
【００１３】
また、筐体1の底板には、各部品に電力を供給するための電源装置を内蔵した電源ユニット4と、メダルを貯留するとともに、その貯留したメダルを受け皿43へ払い出すためのホッパー5とが設置されている。ホッパー5は、特に図示しないが、複数のメダルを貯留することが可能なメダルタンクと、メダルタンクに貯留されているメダルを１枚ずつ排出するための払出装置6と、払出装置6により排出されたメダルを検出するための払出センサー7とを備えている。また、払出装置6により排出されたメダルは、メダル排出部44を通って受け皿43に払い出されるようになっている。
また、筐体１の内部には、３個の回転リール23を有するリールユニット22と、スロットマシンSの遊技を制御するための遊技制御装置100とが設けられている。
【００１４】
リールユニット22は、３個の回転リール23（左側に位置する「左回転リール23L」、中央に位置する「中央回転リール23M」、右側に位置する「右回転リール23R」）と、それぞれの駆動軸に固定された回転リール23を回転駆動するための３個のステッピングモータ26とを備えている。また、各回転リール23は、合成樹脂からなる回転ドラムと、回転ドラムの周囲に貼付されるテープ状のリールテープ28とを備えている。このリールテープ28の外周面には、図４に示すように、「７（赤色）」、「７（白色）」、「ＢＡＲ」、「ベル」、「スイカ」、「チェリー」、「ＲＥＰ」及び「花」の図柄が配置されている。また、各回転リール23の回転ドラムには、突起状のインデックスが設けられるとともに、リールユニット22の所定位置には、インデックスを検出するためのインデックスセンサー27が設けられている。
【００１５】
上扉30の略中央部には、各回転リール23の図柄を正面側から視認可能にするための図柄表示窓31が設けられている。また、図３に示すように、図柄表示窓31には、水平に伸びる上段の有効ライン37（第一有効ライン37A）、水平に伸びる下段の有効ライン37（第二有効ライン37B）、図柄表示窓31の対角線に伸びる右下がりの有効ライン37（第三有効ライン37C）、図柄表示窓31の対角線に伸びる右上がりの有効ライン37（第四有効ライン37D）の４本が形成されている。ここで、各有効ライン37に図柄を適正に表示する時の回転リール23の停止位置を、「停止基準位置」という。各回転リール23には、図柄が２１個ずつ付されていることから、停止基準位置も２１ずつ存在する。
【００１６】
また、図柄表示窓31の上方には、図１に示すように、画像表示装置34（例えば、液晶ディスプレイやＣＲＴ等）が設けられている。また、上扉30における画像表示装置34の周りには、ランプ33が設けられている。また、図柄表示窓31の下方には、クレジットされたメダルの枚数や遊技の設定値を表示するための数値表示部32（例えば、７セグメント表示器等）が設けられている。ここで、クレジットとは、メダル投入口42から投入され、メダルセレクター46により正規なメダルとしてホッパー5へ移送されるメダル、または所定の入賞により払い出されるメダルを、スロットマシンS内部に電子的に貯留することである。
また、上扉30の裏面には、図２に示すように、スロットマシンSの演出を制御するための演出制御装置300と、種々のサウンドを出力するためのスピーカ35とが設けられている。
【００１７】
下扉40の上部には、図１に示すように、スロットマシンSを操作するための操作部50が設けられている。操作部50には、クレジットされたメダルを減じてメダルの投入に代えるためのベットスイッチ51、クレジットされたメダルを払い出すための精算スイッチ52、ゲームを開始させるためのスタートスイッチ53、回転リール23の回転を停止させるための３個のストップスイッチ54（左回転リール23Lに対応する「左ストップスイッチ54L」、中央回転リール23Mに対応する「中央ストップスイッチ54M」、右回転リール23Rに対応する「右ストップスイッチ54R」）が設けられている。
また、下扉40には、メダルを１枚ずつ投入するためのメダル投入口42と、スロットマシンS内部よりメダルを排出するためのメダル払い出し口41と、メダル払い出し口41から排出されたメダルを溜めておくための受け皿43とが設けられている。
【００１８】
また、下扉40の裏面には、図２に示すように、メダル投入口42から投入されたメダルを誘導しながら真贋で選別するためのメダルセレクター46と、メダルセレクター46の下方に開口し、メダル払い出し口41に連通するメダル排出部44と、種々のサウンドを出力するためのスピーカ45とが設けられている。メダルセレクター46は、メダル投入口42から投入されたメダルをホッパー5へ誘導するためのメダル通路と、メダル通路の下流まで流下したメダルを検出するための投入センサー47と、メダル通路を流下するメダルを投入センサー47に検出される前にメダル排出部44へ排除するためのブロッカー装置48とを備えている。ブロッカー装置48は、１ゲームが進行している最中や、クレジットされているメダルが上限の５０枚に達しているときに、メダル通路を流下するメダルをメダル排出部44へ排除するようになっている。
【００１９】
なお、画像表示装置34に所定の画像を表示させたり、スピーカ35,45から所定の音声を出力させたり、ランプ33を所定のパターンで点滅させたり等することにより、遊技を演出することができる。
（制御装置10）
制御装置10は、スロットマシンSを制御するためのものである。
本実施の形態では、制御装置10は、主にスロットマシンSの遊技を制御する遊技制御装置100と、遊技制御装置100からの信号を受信して、主にスロットマシンSの演出を制御する演出制御装置300とを備えている。また、遊技制御装置100及び演出制御装置300は、ＣＰＵを中心に構成され、ＲＯＭ、ＲＡＭ、Ｉ／Ｏ、乱数発生器等を備えている。
【００２０】
また、図５に示すように、遊技制御装置100の入力段には、ベットスイッチ51、精算スイッチ52、スタートスイッチ53、ストップスイッチ54、インデックスセンサー27、払出センサー7、及び投入センサー47などのパーツが接続され、遊技制御装置100の出力段には、ステッピングモータ26、払出装置6、ブロッカー装置48、及び数値表示部32などのパーツが接続されている。
また、遊技制御装置100は、ＣＰＵがＲＯＭに記憶されたプログラムを実行することにより、通常遊技制御手段110、特別遊技制御手段120、当選抽選手段130、回転制御手段140、回転位置判断手段150、停止制御手段160、入賞判定手段170、ベット数記憶手段180、支払制御手段190、特殊遊技制御手段200、対応特殊遊技抽選手段210、有効ライン図柄判定手段220、移行特殊遊技決定手段230などとして機能する（図５参照）。
【００２１】
また、図５に示すように、演出制御装置300の出力段には、ランプ33、画像表示装置34、及びスピーカ35,45などのパーツが接続されている。
次に、遊技制御装置100が備える各手段について説明する。
（ベット数記憶手段180）
ベット数記憶手段180は、ベットされたメダルの枚数（以下「ベット数」という）を記憶するためのものである。具体的には、ベット数記憶手段180は、メダル投入口42からメダルが投入されて、投入センサー47がメダルを検出すると、ベット数に「１」を加算する更新を行う。また、ベット数記憶手段180のベット数には、上限が設定されている。本実施の形態では、ベット数記憶手段180のベット数の上限は「３」に設定されている。
【００２２】
また、ベット数記憶手段180のベット数が「３」まで加算されると、すべての有効ライン37が有効化される。
（通常遊技制御手段110）
通常遊技制御手段110は、通常遊技を行わせるためのものである。
ここで、本実施の形態における通常遊技について説明する。
ベット数記憶手段180の記憶するベット数が「３」である場合に、スタートスイッチ53が操作されると、リールユニット22の各ステッピングモータ26の駆動により各回転リール23が回転を開始する。
【００２３】
その後、ストップスイッチ54が操作されると、対応する回転リール23がいずれかの停止基準位置に停止する。そして、すべての回転リール23が停止基準位置に停止したときに、当選役の図柄の組み合わせが有効ライン37に揃うと、当該当選役の入賞となって遊技者に所定の利益が付与される。
ここで、当選役、及び当選役の図柄の組み合わせを、図６を参照しつつ説明する。本実施の形態では、当選役には、入賞により特別遊技（ビッグボーナス）に移行する「赤セブン当選役」と、入賞により特別遊技（ビッグボーナス）に移行する「白セブン当選役」と、入賞により特別遊技（レギュラーボーナス）に移行する「ＢＡＲ当選役」と、入賞によりメダルを新たにベットすることなく再度１ゲームを行うことが可能な再遊技となる「リプレイ当選役」と、入賞により有効ライン１本につきメダル１０枚が支払われる「ベル当選役」と、入賞により有効ライン１本につきメダル２枚が支払われる「スイカ当選役」と、入賞により有効ライン１本につきメダル２枚が支払われる「特殊ベル当選役」と、入賞により有効ライン１本につきメダル２枚が支払われる「チェリー当選役」と、がある。
【００２４】
（特別遊技制御手段120）
特別遊技制御手段120は、当選抽選手段130の抽選結果に基づいて、遊技者に有利な特別遊技を行わせるためのものである。本実施の形態では、特別遊技として、ビッグボーナス（以下「ＢＢ」という。）と、レギュラーボーナス（以下「ＲＢ」という。）とを実行可能である。
具体的には、通常遊技において「７（赤色）」の図柄が有効ライン37に３個揃う、または「７（白色）」の図柄が有効ライン37に３個揃うと、ＢＢに移行される。そして、ＢＢ中に３２０枚を超えるメダルの支払いが行われると、ＢＢを終了して通常遊技に移行する。
【００２５】
また、通常遊技において「ＢＡＲ」の図柄が有効ライン37に３個揃うと、ＲＢに移行される。そして、ＲＢ中に当選役に８回入賞する、またはＲＢ中に１２ゲーム行うと、ＲＢを終了して通常遊技に移行する。
なお、特別遊技中に当選し得る当選役は、ベル当選役、スイカ当選役、チェリー当選役、特殊ベル当選役である。また、特別遊技中は、「ベル当選役」、「スイカ当選役」、「チェリー当選役」及び「特殊ベル当選役」に当選する確率が通常遊技中よりも高くなるように設定されている。
（特殊遊技制御手段200）
特殊遊技制御手段200は、通常遊技とは異なる遊技である特殊遊技を行わせるものである。本実施の形態では、特殊遊技として、第１特殊遊技と、第１特殊遊技とは異なる第２特殊遊技とを実行可能である。
【００２６】
具体的には、通常遊技において、「左回転リール23L・中央回転リール23M・右回転リール23R」の並びで「花・花・ＡＮＹ（任意の図柄）」の図柄が有効ライン37に揃うと、第１特殊遊技に移行される。そして、第１特殊遊技中に３０ゲーム行うと、第１特殊遊技を終了して通常遊技に移行する。
また、通常遊技において、「左回転リール23L・中央回転リール23M・右回転リール23R」の並びで「ＡＮＹ（任意の図柄）・花・花」の図柄が有効ライン37に揃うと、第２特殊遊技に移行される。そして、第２特殊遊技中に１００ゲーム行うと、第２特殊遊技を終了して通常遊技に移行する。
【００２７】
また、特殊遊技中に「赤セブン当選役」または「白セブン当選役」に入賞すると、特殊遊技を終了してＢＢに移行する。また、特殊遊技中に「ＢＡＲ当選役」に入賞すると、特殊遊技を終了してＲＢに移行する。
また、特殊遊技中に当選し得る当選役は、通常遊技中と同様である。また、第１特殊遊技中は、「リプレイ当選役」に当選する確率が通常遊技中よりも高くなるように設定されている。さらに、第２特殊遊技中は、「リプレイ当選役」に当選する確率が第１特殊遊技中よりも高くなるように設定されている。
なお、「左回転リール23L・中央回転リール23M・右回転リール23R」の並びで「花・花・花」の図柄が有効ライン37に揃った場合は、一の有効ライン37に「花・花・ＡＮＹ」及び「ＡＮＹ・花・花」の図柄の組み合わせのどちらも同時に揃うことになる。ここで、「花・花・ＡＮＹ」の図柄の組み合わせを、「第１種図柄組み合わせ」とし、「ＡＮＹ・花・花」の図柄の組み合わせを、「第２種図柄組み合わせ」とし、「花・花・花」の図柄の組み合わせを、「複合図柄組み合わせ」とする。
【００２８】
（当選抽選手段130）
当選抽選手段130は、複数の当選役のいずれに当選かまたはハズレかの抽選を行うためのものである。
本実施の形態では、当選抽選手段130の抽選結果には、「ベル当選役」の当選となる「ベル当選」と、「スイカ当選役」の当選となる「スイカ当選」と、「特殊ベル当選役」の当選となる「特殊ベル当選」と、「チェリー当選役」の当選となる「チェリー当選」と、「赤セブン当選役」の当選となる「赤セブン当選」と、「白セブン当選役」の当選となる「白セブン当選」と、「ＢＡＲ当選役」の当選となる「ＢＡＲ当選」と、「リプレイ当選役」の当選となる「リプレイ当選」と、いずれの当選役にも入賞不可能となる「ハズレ」とがある。
【００２９】
また、遊技制御装置100のＲＯＭには、乱数発生器の発生させる各乱数について、いずれの当選役に当選かまたはハズレかを割り振ったテーブルが格納されている。本実施の形態では、通常遊技用の当選判定テーブル、ボーナス当選フラグ保有時の通常遊技用の当選判定テーブル、ＢＢ用の当選判定テーブル、ＲＢ用の当選判定テーブル、第１特殊遊技用の当選判定テーブル、ボーナス当選フラグ保有時の第１特殊遊技用の当選判定テーブル、第２特殊遊技用の当選判定テーブル、ボーナス当選フラグ保有時の第２特殊遊技用の当選判定テーブル等がＲＯＭに格納されている。これらの当選判定テーブルには、上述した抽選結果のいずれかに対応する領域が割り振られている。
【００３０】
当選抽選手段130は、スタートスイッチ54の操作を契機に、乱数発生器の発生する乱数から１つの数値が抽出し、抽出乱数データとする。そして、抽出した抽出乱数データを、遊技状態などに応じて選択した当選判定テーブルにおける当選役の当選領域と対比して、抽出乱数データがいずれかの当選領域に属する場合には当該当選領域に対応する当選を決定し、当該抽出乱数データがいずれの当選領域にも属さない場合には、「ハズレ」の決定をする。
なお、この抽選で当選すると、当該当選に応じた当選フラグが遊技制御装置100のＲＡＭの所定領域に設定される。「当選フラグ」は、当選役の当選について関連づけされた変数であり、制御装置10に当選抽選手段130の抽選結果を記憶させるためのものである。本実施の形態には、上述した各当選役に対応する当選フラグ（例えば、「赤セブン当選役」に対応する「赤セブン当選フラグ」など）がある。また、これらの当選フラグは、「小役当選フラグ」と「ボーナス当選フラグ」とに分類される。
【００３１】
「ボーナス当選フラグ」は、遊技制御装置100のＲＡＭの所定領域に設定された場合に、当該当選フラグに係る当選役の図柄の組み合わせが有効ライン37に表示されないときに、消去されずに次のゲームに持ち越される当選フラグを意味する。本実施の形態では、「赤セブン当選役」に対応した「赤セブン当選フラグ」、「白セブン当選役」に対応した「白セブン当選フラグ」、及び「ＢＡＲ当選役」に対応した「ＢＡＲ当選フラグ」が、ボーナス当選フラグである。
「小役当選フラグ」は、遊技制御装置100のＲＡＭの所定領域に設定された場合に、当該当選フラグに係る当選役の図柄の組み合わせが有効ライン37に表示されないときに、次のゲームが開始される前に消去される当選フラグを意味する。本実施の形態では、「赤セブン当選フラグ」、「白セブン当選フラグ」及び「ＢＡＲ当選フラグ」を除いた他の当選フラグが、小役当選フラグである。
【００３２】
（回転制御手段140）
回転制御手段140は、スタートスイッチ53の操作を契機に各回転リール23の回転を開始させるとともに、各回転リール23を一定の回転速度で回転させるためのものである。
具体的には、回転制御手段140は、ベット数記憶手段180の記憶するベット数が「３」である場合において、スタートスイッチ53の操作を契機に、各ステッピングモータ26の回転駆動を開始させて、各回転リール23の回転を開始させる。また、各回転リール23の回転が一定の回転速度に達するまで加速するように、各ステッピングモータ26の回転駆動を制御する。そして、各回転リール23の回転が一定の回転速度まで加速すると、各回転リール23が一定の回転速度を保って定常回転するように、各ステッピングモータ26の回転駆動を制御するようになっている。
【００３３】
（回転位置判断手段150）
回転位置判断手段150は、各回転リール23の回転位置を特定するためのものである。
具体的には、各回転リール23が一定の回転速度まで回転を加速して定常回転になったことを契機に、各インデックスセンサー27によるインデックスの検出を開始する。そして、インデックスセンサー27がインデックスを検出したことを契機に、ステッピングモータ26のパルス数をカウントするとともに、このパルス数に基づいて対応する回転リール23の回転位置を特定する。なお、カウントしたパルス数は、インデックスを検出する度にリセットされ、あらたにパルス数がカウントされる。
【００３４】
また、各回転リール23に２１個ずつ付された図柄には、インデックスセンサー27がインデックスを検出した時の回転位置を基準にした図柄番号が割り振られている。具体的には、インデックスセンサー27がインデックスを検出したときに第一有効ライン37A上にある図柄から、順次「００」〜「２０」の図柄番号が割り振られている。また、それぞれの図柄番号に対応する図柄の種類を各回転リール23毎に記憶している。そして、回転リール23の回転位置、すなわちパルス数に基づいて、第一有効ライン37A上にある図柄の図柄番号を特定し、この図柄番号に基づいて図柄の種類を特定するようになっている。
（停止制御手段160）
停止制御手段160は、ストップスイッチ54の操作を契機に、対応する回転リール23の回転位置及び当選抽選手段130の抽選結果に基づいて、当該回転リール23の停止制御を行うためのものである。
【００３５】
ここで、ストップスイッチ54が操作されてから、対応する回転リール23がいずれかの停止基準位置に停止するまでの間に、図柄表示窓31を通過する停止基準位置の数を「滑りコマ数」という。例えば、滑りコマ数「０」は、操作されたストップスイッチ54に対応する回転リール23を、当該操作から１番目に図柄表示窓31に表示される停止基準位置に停止させることを意味する。また、滑りコマ数「１」は、操作されたストップスイッチ54に対応する回転リール23を、当該操作から１番目に図柄表示窓31に表示される停止基準位置を通過させて、２番目に図柄表示窓31に表示される停止基準位置に停止させることを意味する。本実施の形態では、停止制御手段160は、当選抽選手段130の抽選結果に基づいて、滑りコマ数「０」ないし「４」の範囲で回転リール23を停止基準位置に停止させるようになっている。
【００３６】
具体的には、遊技制御装置100のＲＯＭには、ストップスイッチ54の操作時における回転リール23の回転位置に基づき、対応する回転リール23が停止基準位置に停止するまでの滑りコマ数を、回転リール23毎に規定した停止テーブルが格納されている。
本実施の形態では、それぞれの当選フラグに対応した停止テーブル（例えば、「赤セブン当選」に対応する「赤セブン停止テーブル」など）が、遊技制御装置100のＲＯＭに記憶されている。当選フラグに対応する停止テーブルは、当該当選フラグに係る当選役が入賞し得るように且つその他の当選役が入賞しないように、各回転リール23の滑りコマ数が規定されている。また、当選役の図柄の組み合わせと「第１種図柄組み合わせ」、「第２種図柄組み合わせ」または「複合図柄組み合わせ」とが同時に有効ライン37に揃わないように、各回転リール23の滑りコマ数が規定されている。
【００３７】
例えば、「スイカ当選」に対応する「スイカ停止テーブル」は、「スイカ」の図柄がいずれかの有効ライン37に３個揃い得るように、且つ「スイカ当選役」以外の当選役の図柄の組み合わせが有効ライン37に揃わないように、各回転リール23の滑りコマ数が規定されている。
例えば、「チェリー当選」に対応する「チェリー停止テーブル」は、左回転リール23Lの「チェリー」の図柄が有効ライン37に表示され得るように、且つ「チェリー当選役」以外の当選役の図柄の組み合わせが有効ライン37に揃わないように、各回転リール23の滑りコマ数が規定されている。
【００３８】
また、「スイカ停止テーブル」及び「チェリー停止テーブル」は、各回転リール23が回転を停止した場合に、どの当選役の図柄の組み合わせも有効ライン37に揃わないが、「第１種図柄組み合わせ」、「第２種図柄組み合わせ」または「複合図柄組み合わせ」がいずれかの有効ライン37に揃うことがあるように、各回転リール32の滑りコマ数が規定されている。なお、「スイカ停止テーブル」及び「チェリー停止テーブル」は、「複合図柄組み合わせ」の揃うことがいずれの有効ライン37についても起こり得るように、各回転リール23の滑りコマ数が規定されている。また、「第１種図柄組み合わせ」及び「第２種図柄組み合わせ」も同様である。
【００３９】
また、遊技制御装置100のＲＯＭには、ボーナス当選フラグのいずれか１つと、小役当選フラグのいずれか１つとを同時にＲＡＭの所定領域に有する場合に用いる停止テーブルが格納されている。例えば、「赤セブン当選フラグ」及び「ベル当選フラグ」を同時に有するときに用いる「ベル・赤７停止テーブル」等がある。これらのテーブルは、小役当選フラグに係る当選役よりもボーナス当選フラグに係る当選役が優先的に入賞し得るように、且つその他の当選役が入賞しないように、各回転リール23の滑りコマ数が規定されている。また、当選役の図柄の組み合わせと「第１種図柄組み合わせ」、「第２種図柄組み合わせ」または「複合図柄組み合わせ」とが同時に有効ライン37に揃わないように、各回転リール23の滑りコマ数が規定されている。
【００４０】
また、遊技制御装置100のＲＯＭには、いずれの当選フラグにも対応しない「ハズレ停止テーブル」が格納されている。「ハズレ停止テーブル」は、いずれの当選役の図柄の組み合わせも有効ライン37に揃わないように、各回転リール23の滑りコマ数が規定されている。
停止制御手段160は、すべてのインデックスセンサー27がインデックスを検出したことを契機に、遊技制御装置100のＲＡＭの当選フラグに応じた停止テーブルを選択する。このとき、遊技制御装置100のＲＡＭにいずれの当選フラグも有さない場合には、ハズレ停止テーブルを選択する。そして、各ストップスイッチ54の操作の受付を開始する。これにより、各ストップスイッチ54の操作が有効となる。
【００４１】
また、ストップスイッチ54の操作を契機に、選択した停止テーブルを参照して、ストップスイッチ54の操作時の回転位置に基づき滑りコマ数を取得する。そして、取得した滑りコマ数分の停止基準位置が図柄表示窓31を通過した後に、最初に表示される停止基準位置に当該回転リール23が停止するように、ステッピングモータ26の回転駆動を制御する。
（入賞判定手段170）
入賞判定手段170は、すべての回転リール23の回転が停止したことを契機に、複数の当選役のいずれに入賞か又は入賞なしかの判定を行うものである。
具体的には、入賞判定手段170は、例えば、すべての回転リール23が停止基準位置に停止した場合に、「７（赤色）」の図柄が有効ライン37に３個揃っているときには、「赤セブン当選役の入賞」と判定する。
【００４２】
また、入賞判定手段170は、例えば、すべての回転リール23が停止基準位置に停止した場合に、どの当選役に係る図柄の組み合わせも有効ライン37に揃っていないときには、「入賞なし」と判定する。
（支払制御手段190）
支払制御手段190は、入賞によりメダルが支払われる当選役について入賞判定手段170により「当選役の入賞」と判定されたことを契機に、メダルを支払う制御を行うものである。メダルの支払いは、当選役に係る図柄の組み合わせの揃った有効ライン37毎に行われる。
【００４３】
なお、「メダルを支払う制御」は、「ホッパー5にメダルを払い出させる制御」を行ってもよいし、「クレジット数を増加させる制御」を行ってもよい。本実施の形態では、支払制御手段190は、クレジット数が上限の「５０」に達する前は、クレジット数を増加させる制御を行う。また、支払制御手段190は、クレジット数が上限の「５０」に達した後は、ホッパー5にメダルを払い出させる制御を行う。
（対応特殊遊技抽選手段210）
対応特殊遊技抽選手段210は、有効ライン37に複数の特殊遊技のいずれを対応させるかを抽選で決定するものである。
【００４４】
本実施の形態では、対応特殊遊技抽選手段210は、通常遊技において、遊技制御装置100のＲＡＭの所定領域に「スイカ当選フラグ」または「チェリー当選フラグ」を有するが、「ボーナス当選フラグ」を有さない場合に、入賞判定手段170により「入賞なし」と判定されたときに、４本の有効ライン37のいずれか１本に第２特殊遊技を対応付ける抽選を行う。そして、残りの有効ライン37には第１特殊遊技を対応付けるようになっている。
なお、対応特殊遊技抽選手段210は、当選抽選手段130と同様に乱数を用いて抽選を行うものとし、これについての説明は省略する。
（有効ライン図柄判定手段220）
有効ライン図柄判定手段220は、所定の図柄の組み合わせ（以下「移行図柄組み合わせ」という。）をいずれの有効ライン37に表示しているか、又はいずれの有効ライン37にも表示していないかを判定する。
【００４５】
本実施の形態における「移行図柄組み合わせ」は、「複合図柄組み合わせ（「花・花・花」）」、「第１種図柄組み合わせ（花・花・ＡＮＹ）」及び「第２種図柄組み合わせ（ＡＮＹ・花・花）」である。
具体的には、有効ライン図柄判定手段220は、対応特殊遊技抽選手段210による抽選が行われたことを契機に、一の有効ライン37に「花・花・花」を表示しているか否かを判定する。そして、当該有効ライン37に「花・花・花」を表示していると判定した場合には、遊技制御装置100のＲＡＭの所定領域に「複合表示フラグ」が設定される。また、当該有効ライン37に「花・花・花」を表示していないと判定した場合には、当該有効ライン37に「花・花・ＡＮＹ」を表示しているか否かを判定する。そして、当該有効ライン37に「花・花・ＡＮＹ」を表示していると判定した場合には、ＲＡＭの所定領域に「第１種表示フラグ」が設定される。また、当該有効ライン37に「花・花・ＡＮＹ」を表示していないと判定した場合には、当該有効ライン37に「ＡＮＹ・花・花」を表示しているか否かを判定する。そして、当該有効ライン37に「ＡＮＹ・花・花」を表示していると判定した場合には、ＲＡＭの所定領域に「第２種表示フラグ」が設定される。
【００４６】
なお、上述の判定は、第一有効ライン37Aから第四有効ライン37Dにかけて順次行うが、第四有効ライン37Dについて判定する前に「花・花・花」、「花・花・ＡＮＹ」または「ＡＮＹ・花・花」を表示していると判定した場合には、残りの有効ライン37についての判定を省略するようになっている。
なお、本実施の形態では、当選抽選手段130の抽選により「スイカ当選役」に当選した場合に、各回転リール23の回転停止の際に「スイカ」の図柄が有効ライン37に揃わないとき、または、当選抽選手段130により「チェリー当選役」に当選した場合に、各回転リール23の回転停止の際に左回転リール23Lの「チェリー」の図柄が有効ライン37に表示されないときに、「花・花・花」、「花・花・ＡＮＹ」または「ＡＮＹ・花・花」が有効ライン37に表示されることがある。また、「花・花・花」、「花・花・ＡＮＹ」及び「ＡＮＹ・花・花」は、いずれも当選役に係る図柄の組み合わせではない。したがって、有効ライン図柄判定手段220により「花・花・花」、「花・花・ＡＮＹ」または「ＡＮＹ・花・花」が表示されていると判定された場合に、支払制御手段190によるメダルの支払いが行われない。
【００４７】
（移行特殊遊技決定手段230）
移行特殊遊技決定手段230は、有効ライン図柄判定手段220の判定結果に基づき、いずれの特殊遊技に移行させるかを決定するものである。
本実施の形態では、移行特殊遊技決定手段230は、遊技制御装置100のＲＡＭの所定領域に「第１種表示フラグ」を有する場合には、第１特殊遊技に移行することを決定し、「第２種表示フラグ」を有する場合には、第２特殊遊技に移行することを決定する。
また、移行特殊遊技決定手段230は、ＲＡＭの所定領域に「複合表示フラグ」を有する場合には、「花・花・花」の表示された有効ライン37と、対応特殊遊技抽選手段210の抽選結果とに基づき、第１特殊遊技または第２特殊遊技のいずれに移行するかを決定する。具体的には、そして、「花・花・花」の表示された有効ライン37が、対応特殊遊技抽選手段210の抽選により第２特殊遊技に対応付けられた有効ライン37に一致するか否かを判断する。そして、一致すると判断した場合には、第２特殊遊技に移行することを決定し、一致しないと判断した場合には、第１特殊遊技に移行することを決定する。
【００４８】
（スロットマシンSの動作）
次に、スロットマシンSにおける遊技の制御の概略について、図７に示したフローチャートを用いて説明する。この制御は、遊技制御装置100で所定時間毎に繰り返し実行される。
ステップ１０１において、ゲーム更新処理が行われる。具体的には、ＲＡＭの所定の領域がクリアされて、小役当選フラグの消去、入賞済みのボーナス当選フラグの消去、ベット数記憶手段180のベット数のクリア等がなされる。
ステップ１０２において、再遊技であるか否かの判断が行われる。そして、再遊技であると判断した場合には、ステップ１０３に進む。再遊技でないと判断した場合には、ステップ１０４に進む。
【００４９】
ステップ１０３において、再遊技ベット処理が行われる。具体的には、前回のゲームでベットされたメダルの枚数、つまり「３」をベット数記憶手段180のベット数に加算する更新が行われる。そして、ステップ１０５に進む。
ステップ１０４において、ベット処理が行われる。具体的には、投入センサー47がメダルを検出すると、ベット数記憶手段180のベット数に「１」を加算する更新が行われる。または、ベットスイッチ51が操作されると、クレジット数を減じるとともに、ベット数記憶手段180のベット数に加算する更新が行われる。そして、ステップ１０５に進む。
ステップ１０５において、スタートスイッチ53が操作されたか否かの判断が行われる。そして、スタートスイッチ53が操作されたと判断したときには、ステップ１０６に進む。スタートスイッチ53が操作されていないと判断したときには、ステップ１０５に戻る。
【００５０】
ステップ１０６において、３個の回転リール23の回転が開始される。そして、ステップ１０７に進む。
ステップ１０７において、当選抽選手段130による当選抽選処理が行われる。そして、ステップ１０８に進む。
ステップ１０８において、停止制御手段160による停止制御処理が行われる。そして、ステップ１０９に進む。なお、停止制御処理については、後述する。
ステップ１０９において、入賞判定手段170による入賞判定処理が行われる。そして、ステップ１１０に進む。
【００５１】
ステップ１１０において、支払制御手段190による支払制御処理が行われる。そして、ステップ１１１に進む。
ステップ１１１において、遊技移行処理が行われる。そして、ゲームを終了する。なお、遊技移行処理については、後述する。
次に、ステップ１０８の停止制御処理について、図８に示したフローチャートを用いて説明する。
ステップ２０１において、遊技制御装置100のＲＡＭの所定領域に有する当選フラグに応じた停止テーブルが選択される。いずれの当選フラグも有さない場合には、ハズレ停止テーブルが選択される。そして、ステップ２０２に進む。
【００５２】
ステップ２０２において、ストップスイッチ54の操作の受付を開始する。これにより、ストップスイッチ54が操作されてストップ信号が出力されると、対応する回転リール23の停止制御を行うようになる。そして、ステップ２０３に進む。
ステップ２０３において、ｎ個目のストップスイッチ54が操作されたか否かの判断が行われる。そして、ｎ個目のストップスイッチ54が操作されたと判断したときには、ステップ２０４に進む。ｎ個目のストップスイッチ54が操作されていないと判断したときには、ステップ２０３に戻る。
ステップ２０４において、ストップスイッチ54の操作の受付を終了する。これにより、ストップスイッチ54が操作されてストップ信号が出力されても、対応する回転リール23の停止制御を行わないようになる。そして、ステップ２０５に進む。
【００５３】
ステップ２０５において、選択した停止テーブルを参照して、操作されたストップスイッチ54に対応する回転リール23の滑りコマ数を取得する。そして、ステップ２０６に進む。
ステップ２０６において、取得した滑りコマ数分の停止基準位置が図柄表示窓31を通過した後、最初に図柄表示窓31に表示される停止基準位置に停止するように、回転リール23の回転を停止させる。そして、ステップ２０７に進む。
ステップ２０７において、３個の回転リール23がすべて回転を停止したか否かの判断が行われる。そして、３個の回転リール23がすべて回転を停止したと判断した場合には、停止制御処理を終了する。いずれかの回転リール23が回転していると判断した場合は、ステップ２０２に戻る。
【００５４】
次に、ステップ１１１の遊技移行処理について、図９に示したフローチャートを用いて説明する。
ステップ３０１において、ＢＢ中であるか否かの判断が行われる。ＢＢ中であると判断した場合には、ステップ３０２に進む。ＢＢ中でないと判断した場合には、ステップ３０４に進む。
ステップ３０２において、ＢＢ中に支払われたメダルが３２０枚を超えたか否かの判断が行われる。そして、ＢＢ中に支払われたメダルが３２０枚を超えたと判断した場合には、ステップ３０３に進む。ＢＢ中に支払われたメダルが３２０枚を超えていないと判断した場合には、遊技移行処理を終了する。
【００５５】
ステップ３０３において、ＢＢを終了して、通常遊技に移行する。そして、遊技移行処理を終了する。
ステップ３０４において、ＲＢ中であるか否かの判断が行われる。ＲＢ中であると判断した場合には、ステップ３０５に進む。ＲＢ中でないと判断した場合には、ステップ３０７に進む。
ステップ３０５において、ＲＢ中に当選役に８回入賞したか、またはＲＢ中に１２ゲーム行ったか否かの判断が行われる。そして、ＲＢ中に当選役に８回入賞した、またはＲＢ中に１２ゲーム行ったと判断した場合には、ステップ３０６に進む。ＲＢ中に当選役に８回入賞しておらず、且つ１２ゲーム行っていないと判断した場合には、遊技移行処理を終了する。
【００５６】
ステップ３０６において、ＲＢを終了して、通常遊技に移行する。そして、遊技移行処理を終了する。
ステップ３０７において、ステップ１０９の入賞判定結果が「赤セブン当選役の入賞」または「白セブン当選役の入賞」であるか否かの判断が行われる。そして、入賞判定結果が「赤セブン当選役の入賞」または「白セブン当選役の入賞」であると判断した場合には、ステップ３０８に進む。入賞判定結果が「赤セブン当選役の入賞」または「白セブン当選役の入賞」のどちらでもないと判断した場合には、ステップ３０９に進む。
ステップ３０８において、通常遊技、第１特殊遊技または第２特殊遊技を終了して、ＢＢに移行する。そして、遊技移行処理を終了する。
【００５７】
ステップ３０９において、ステップ１０９の入賞判定結果が「ＢＡＲ当選役の入賞」であるか否かの判断が行われる。そして、入賞判定結果が「ＢＡＲ当選役の入賞」であると判断した場合には、ステップ３１０に進む。入賞判定結果が「ＢＡＲ当選役の入賞」でないと判断した場合には、ステップ３１１に進む。
ステップ３１０において、通常遊技、第１特殊遊技または第２特殊遊技を終了して、ＲＢに移行する。そして、遊技移行処理を終了する。
ステップ３１１において、第１特殊遊技中であるか否かの判断が行われる。第１特殊遊技中であると判断した場合には、ステップ３１２に進む。ＲＢ中でないと判断した場合には、ステップ３１４に進む。
【００５８】
ステップ３１２において、第１特殊遊技中に３０ゲーム行ったか否かの判断が行われる。そして、第１特殊遊技中に３０ゲーム行ったと判断した場合には、ステップ３１３に進む。第１特殊遊技中に３０ゲーム行っていないと判断した場合には、遊技移行処理を終了する。
ステップ３１３において、第１特殊遊技を終了して、通常遊技に移行する。そして、遊技移行処理を終了する。
ステップ３１４において、第２特殊遊技中であるか否かの判断が行われる。第２特殊遊技中であると判断した場合には、ステップ３１５に進む。ＲＢ中でないと判断した場合には、ステップ３１７に進む。
【００５９】
ステップ３１５において、第２特殊遊技中に１００ゲーム行ったか否かの判断が行われる。そして、第２特殊遊技中に１００ゲーム行ったと判断した場合には、ステップ３１６に進む。第２特殊遊技中に１００ゲーム行っていないと判断した場合には、遊技移行処理を終了する。
ステップ３１６において、第２特殊遊技を終了して、通常遊技に移行する。そして、遊技移行処理を終了する。
ステップ３１７において、ステップ１０９の入賞判定結果が「入賞なし」であるか否かの判断が行われる。そして、入賞判定結果が「入賞なし」であると判断した場合には、ステップ３１８に進む。入賞判定結果が「入賞なし」でないと判断した場合には、遊技移行処理を終了する。
【００６０】
ステップ３１８において、遊技制御装置100のＲＡＭの所定領域にボーナス当選フラグを有するか否かの判定が行われる。そして、ボーナス当選フラグを有さないと判断した場合には、ステップ３１９に進む。ボーナス当選フラグを有すると判断した場合には、遊技移行処理を終了する。
ステップ３１９において、遊技制御装置100のＲＡＭの所定領域に「スイカ当選フラグ」または「チェリー当選フラグ」を有するか否かの判断が行われる。そして、「スイカ当選フラグ」または「チェリー当選フラグ」を有すると判断した場合には、ステップ３２０に進む。「スイカ当選フラグ」及び「チェリー当選フラグ」のどちらも有さないと判断した場合には、遊技移行処理を終了する。
【００６１】
ステップ３２０において、対応特殊遊技抽選手段210による抽選が行われる。これにより、４本の有効ライン37のいずれか１つに第２特殊遊技が対応付けられ、残りの有効ライン37には第１特殊遊技が対応付けられる。そして、ステップ３２１に進む。
ステップ３２１において、有効ライン図柄判定手段220による有効ライン図柄判定処理が行われる。そして、ステップ３２２に進む。なお、有効ライン図柄判定処理については、後述する。
ステップ３２２において、移行特殊遊技決定手段230による移行特殊遊技決定処理が行われる。そして、遊技移行処理を終了する。なお、移行特殊遊技決定処理については、後述する。
【００６２】
次に、ステップ３２１の有効ライン図柄判定処理について、図１０に示したフローチャートを用いて説明する。
ステップ４０１において、第ｎ有効ラインについて、有効ライン37に「花・花・花」を表示しているか否かを判定する。そして、表示していると判定した場合には、ステップ４０２に進む。表示していないと判定した場合には、ステップ４０３に進む。
ステップ４０２において、遊技制御装置100のＲＡＭの所定領域に「複合表示フラグ」を設定する。そして、有効ライン図柄判定処理を終了する。
ステップ４０３において、第ｎ有効ラインについて、有効ライン37に「花・花・ＡＮＹ」を表示しているか否かを判定する。そして、表示していると判定した場合には、ステップ４０４に進む。表示していないと判定した場合には、ステップ４０５に進む。
【００６３】
ステップ４０４において、遊技制御装置100のＲＡＭの所定領域に「第１種表示フラグ」を設定する。そして、有効ライン図柄判定処理を終了する。
ステップ４０５において、第ｎ有効ラインについて、有効ライン37に「ＡＮＹ・花・花」を表示しているか否かを判定する。そして、表示していると判定した場合には、ステップ４０６に進む。表示していないと判定した場合には、ステップ４０７に進む。
ステップ４０６において、遊技制御装置100のＲＡＭの所定領域に「第２種表示フラグ」を設定する。そして、有効ライン図柄判定処理を終了する。
ステップ４０７において、第１有効ライン37Aないし第４有効ライン37Dのすべての有効ライン37について、ステップ４０１、ステップ４０３及びステップ４０５の判定が行われたか否かを判断する。そして、すべての有効ライン37について判定が行われたと判断した場合には、有効ライン図柄判定処理を終了する。すべての有効ライン37について判定が行われていないと判断した場合には、ステップ４０１に戻る。
【００６４】
次に、ステップ３２２の移行特殊遊技決定処理について、図１１に示したフローチャートを用いて説明する。
ステップ５０１において、遊技制御装置100のＲＡＭの所定領域に「第１種表示フラグ」を有するか否かの判断が行われる。そして、「第１種表示フラグ」を有さないと判断した場合には、ステップ５０２に進む。「第１種表示フラグ」を有すると判断した場合には、ステップ５０５に進む。
ステップ５０２において、遊技制御装置100のＲＡＭの所定領域に「第２種表示フラグ」を有するか否かの判断が行われる。そして、「第２種表示フラグ」を有さないと判断した場合には、ステップ５０３に進む。「第２種表示フラグ」を有すると判断した場合には、ステップ５０７に進む。
【００６５】
ステップ５０３において、遊技制御装置100のＲＡＭの所定領域に「複合表示フラグ」を有するか否かの判断が行われる。そして、「複合表示フラグ」を有すると判断した場合には、ステップ５０４に進む。「複合表示フラグ」を有さないと判断した場合には、移行特殊遊技決定処理を終了する。
ステップ５０４において、「花・花・花」の表示された有効ライン37が、対応特殊遊技抽選手段210の抽選により第２特殊遊技に対応付けられた有効ライン37に一致するか否かを判断する。そして、一致しないと判断した場合には、ステップ５０５に進む。一致すると判断した場合には、ステップ５０７に進む。
【００６６】
ステップ５０５において、第１特殊遊技に移行することを決定する。そして、ステップ５０６に進む。
ステップ５０６において、通常遊技を終了して、第１特殊遊技に移行する。そして、移行特殊遊技決定処理を終了する。
ステップ５０７において、第２特殊遊技に移行することを決定する。そして、ステップ５０８に進む。
ステップ５０８において、通常遊技を終了して、第２特殊遊技に移行する。そして、移行特殊遊技決定処理を終了する。
【００６７】
以上のように、本実施の形態によれば、第１種図柄組み合わせ（花・花・ＡＮＹ）及び第２種図柄組み合わせ（ＡＮＹ・花・花）のどちらも有効ライン37に表示された場合、つまり複合図柄組み合わせ（花・花・花）が有効ライン37に揃った場合に、当該有効ライン37に基づき第１特殊遊技または第２特殊遊技のいずれか一方に移行するようになっている。したがって、遊技者は、複合図柄組み合わせ（花・花・花）が有効ライン37に揃った場合に、どちらの特殊遊技に移行されるか特定できない。これにより、遊技者は、緊張感を持って特殊遊技を行うようになることから、遊技を飽きずに継続することができる。
（他の実施の形態）
本発明は、上述した実施の形態に限定されるものではなく、本発明の目的を達成できる範囲における変形や改良も含むものである。
【００６８】
例えば、「リプレイ当選役」に当選する確率について、第１特殊遊技中または第２特殊遊技中のいずれか一方を通常遊技中よりも高くなるように、他方を通常遊技中よりも低くなるように設定してもよいし、または、第１特殊遊技中及び第２特殊遊技中の双方とも通常遊技中よりも低くなるように設定してもよい。また、例えば、第１特殊遊技または第２特殊遊技のいずれか一方においては、当選抽選手段130の抽選結果に関する情報を報知するが、他方においては、この情報を報知しないようにしてもよい。
また、例えば、停止制御手段160により有効ライン37に「花・花・花」を表示させることはあるが、「花・花・任意の図柄（花を除く）」及び「任意の図柄（花を除く）・花・花」のどちらも表示させることはないようにしてもよい。そして、有効ライン37に「花・花・花」を表示していると有効ライン図柄判定手段220により判定された場合に、当該有効ライン37に基づいて第１特殊遊技または第２特殊遊技のいずれか一方に移行するようにしてもよい。
【符号の説明】
【００６９】
1  筐体                               3  前扉
23  回転リール                        31  図柄表示窓
53  スタートスイッチ                  54  ストップスイッチ
130 当選抽選手段                      160 停止制御手段
170 入賞判定手段                      220 有効ライン図柄判定手段
【図１】
2010253024.tif 000003
【図２】
2010253024.tif 000004
【図３】
2010253024.tif 000005
【図４】
2010253024.tif 000006
【図５】
2010253024.tif 000007
【図６】
2010253024.tif 000008
【図７】
2010253024.tif 000009
【図８】
2010253024.tif 000010
【図９】
2010253024.tif 000011
【図１０】
2010253024.tif 000012
【図１１】
2010253024.tif 000013